(57)【特許請求の範囲】
【請求項１】
インナボックスと、このインナボックスに開閉可能に支持されたグラブドアと、ロープを介して上記グラブドアと連結され、このグラブドアが開く際に、繰り出されたロープに所定張力が生ずるように構成された回転式ダンパと、回転式ダンパから繰り出されたロープを張架するガイドローラとを含んでいるグラブボックスのグラブドア用ダンパ機構において、
上記ガイドローラをロープと交差する調整方向に関して移動調整可能に支持する調整機構と、
インナボックス内から上記調整機構を操作する操作部と、
を備えていることを特徴とする、グラブボックスのグラブドア用ダンパ機構。
【請求項２】
前記調整機構が、ガイドローラを支持する支持部を調整方向に摺動可能に支持するスライド機構とこの支持部をスライド機構に沿って移動させる駆動機構とを含んでいることを特徴とする、請求項１に記載のグラブボックスのグラブドア用ダンパ機構。
【請求項３】
前記駆動機構が、支持部に設けられた送りネジに螺合する雌ネジ部であることを特徴とする、請求項２に記載のグラブボックスのグラブドア用ダンパ機構。
【請求項４】
前記操作部が、上記雌ネジ部を回転させる回転操作ダイヤルであることを特徴とする、請求項３に記載のグラブボックスのグラブドア用ダンパ機構。
【発明の詳細な説明】
【０００１】
【発明の属する技術分野】
この発明は乗用車等の車両にてインストルメントパネル付近に設けられるグラブボックス、特にそのグラブドアの開閉機構にかかり、さらに詳しくはグラブドアの開閉用ダンパ機構に関するものである。
【０００２】
【従来の技術】
従来、この種の車両にあっては図６に示すように、例えば助手席の前方においてインストルメントパネル１の下方適所にグラブボックス２が備えられている。このグラブボックス２は、図７に示すように、インナボックス３とこのインナボックス３に開閉可能に支持されたグラブドア（蓋体）４とを備えている。
上記グラブドア４は、図７に示すように、その回転軸５の周りに回動可能に支持されており、インナボックス３から助手席の乗員の膝付近まで開くようになっている。
【０００３】
さらに、図示の場合、例えばインナボックス３の奥側に回転式ダンパ６が設けられている。この回転式ダンパ６は、捩りスプリング等の弾性部材によってロープ７を巻取り収納するように構成されており、このロープ７の先端がグラブドア４のロープ連結部８に連結されている。この回転式ダンパ６により、グラブドア４が開く際にロープ７に所定の張力が生じ、グラブドア４が開くスピード（以下、開スピードという）を調整し得るようになっている。
【０００４】
【発明が解決しようとする課題】
ところで、近年、グラブボックス２は、物入れとして収納容量を増大するため大型化する傾向にある。そして、グラブボックス２内に重量物を収納した場合、グラブドア４を開けようとすると、グラブドア４はこの重量物の重量がかかるために急激に開いてしまい、助手席の乗員の膝に当たってしまうことがある。
このような場合に、グラブドア４の品質感ある開スピードを得るためには、回転式ダンパ６のダンパ強度を強くする必要がある。
【０００５】
しかしながら、グラブボックス２内に相当程度の重量のある物を収納して、品質感ある開スピードになるようにダンパ強度を設定した場合、グラブボックス２内が空状態のときには、グラブドア４の自重によって自然に開かない。つまり、このような空状態のときには、人手によってグラブドア４を開けなければならなくなる。
【０００６】
これに対して、グラブボックス２の収納物が重い場合には、回転式ダンパ６から繰り出されたロープ７を途中でガイドローラにより張架して、回転式ダンパ６のダンパ強度を切換え調整するようにしたダンパ機構も、例えば特開平９−３１７３１７号等に開示されている。
このような構成のダンパ機構では、収納物の重量に対応してダンパ強度を二段階に切り換えるようになっているが、この場合、切換え作業が面倒であると共に、収納物の重量に対応して、ダンパ強度を適宜に調整することはできない。
また、ダンパとして、オイルダンパやエアダンパを使用したものもあるが、同様に収納物の重量に対応して、ダンパ強度を適宜に調整することはできない。
【０００７】
この発明は、以上の点にかんがみ、簡単な操作によりダンパ強度を適宜に調整することができるようにしたグラブボックスのグラブドア用ダンパ機構を提供することを目的としている。
【０００８】
【課題を解決するための手段】
上記目的を達成するため、この発明では、インナボックスと、このインナボックスに開閉可能に支持されたグラブドアと、ロープを介して上記グラブドアと連結されこのグラブドアが開く際に、繰り出されたロープに所定張力が生ずるように構成された回転式ダンパと回転式ダンパから繰り出されたロープを張架するガイドローラとを含むグラブボックスのグラブドア用ダンパ機構において、上記ガイドローラをロープと交差する調整方向に関して移動調整可能に支持する調整機構とインナボックス内から上記調整機構を操作する操作部とを備えていることを特徴とするものである。
この発明によるグラブボックスのグラブドア用ダンパ機構は、好ましくは、上記調整機構が、ガイドローラを支持する支持部を調整方向に摺動可能に支持するスライド機構とこの支持部をスライド機構に沿って移動させる駆動機構とを含んでいる。
この発明によるグラブボックスのグラブドア用ダンパ機構は、好ましくは、上記駆動機構が、支持部に設けられた送りネジに螺合する雌ネジ部である。
また、この発明によるグラブボックスのグラブドア用ダンパ機構は、好ましくは、上記操作部が上記雌ネジ部を回転させる回転操作ダイヤルである。
【０００９】
上記構成によれば、グラブドアを開いた状態で、インナボックス内から操作部により調整機構を操作することによって、ロープを張架するガイドローラをロープと交差する方向に移動調整して、グラブドアの閉鎖時の回転式ダンパからのロープ繰り出し長さを調整する。
これにより、グラブドアの閉鎖時のロープ張力を調整して、グラブボックス内の収納重量に対応して、ダンパ強度を適宜に連続的に調整することができる。
したがって、簡単な構成により、インナボックス内から容易にグラブボックスの収納物の重量に対応したダンパ強度を設定することができるので、収納物の重量にかかわらず、常に品質感ある開スピードを得ることができると共に、グラブドアを開く際に助手席の乗員の膝に当たるようなことはなく、またグラブボックス内が空状態であっても、確実にグラブドアが開く。
【００１０】
【発明の実施の形態】
以下、図面に示した実施形態に基づいてこの発明を詳細に説明する。
図１はこの発明によるグラブボックスのグラブドア用ダンパ機構の一実施形態を備えたグラブボックスの構成を示している。
図１において、グラブボックス１０は、図６に示すように自動車のインストルメントパネル１の下方の適所に配設されるものであって、インナボックス１１と、このインナボックス１１に開閉可能に支持されたグラブドア１２（図２参照）と、インナボックス１１の側面に取り付けられたダンパ機構２０と、を備えている。上記グラブドア１２は、回転軸１３の周りに回動可能に支持されており、インナボックス１１から助手席の乗員の膝付近まで開くようになっている。
【００１１】
上記ダンパ機構２０は、図１に示すように、インナボックス１１の奥側に設けられた回転式ダンパ２１と、回転式ダンパ２１から繰り出されたロープ２２に係合するガイドローラ２３と、ガイドローラ２３をロープ２２と交差する方向に移動可能に支持する調整機構２４と、外部から調整機構２４を操作する操作部２５と、を備えている。
【００１２】
回転式ダンパ２１は、公知の構成であって、捩りスプリング等の弾性部材によってロープ２２を巻取り収納するように構成されており、このロープ２２の先端が、グラブドア１２の側面に設けられたロープ連結部１２ａに連結されている。なお、回転式ダンパ２１は、ロープ２２の繰り出しによって弾性部材が弾性変形するとにより、ロープ２２の繰り出し長さに従って、ダンパ強度が直線的に変化するように構成されている。
【００１３】
上記調整機構２４は、ロープ２２と交差する方向に延びるスライドガイド２４ａと、スライドガイド２４に沿って摺動し得るスライダ２４ｂと、から構成されている。このスライダ２４ｂは、図３に示すように、その下端付近の側面にガイドローラ２３を回転可能に支持していると共に、上端面から摺動方向に延びる送りネジ２４ｃを備えている。
【００１４】
上記操作部２５は、図３及び図４に示すように、調整機構２４の送りネジ２４ｃに螺合する雌ネジを備えた歯車２５ａと、歯車２５ａと噛合する回転操作ダイヤルとしての大径の歯車２５ｂと、歯車２５ａ及び２５ｂを上下から挟持して回転可能に支持するブラケット２５ｃ，２５ｄと、から構成されている。
ここで、上記歯車２５ｂは、少なくともその一部がインナボックス１１内に露出しており、この露出した部分を操作することにより回転されるように構成されている。
【００１５】
この発明の実施形態によるグラブドア用ダンパ機構２０を備えたグラブボックス１０は以上のように構成されており、ダンパ機構２０のダンパ強度を設定する場合、使用者は、グラブドア１２を開いた状態で操作部２５のインナボックス１１内に露出している歯車２５ｂを回転駆動させると、歯車２５ａが回動し、歯車２５ａに螺合した送りネジ２４ｃをその軸方向（矢印Ｐ方向）に移動調整する。これにより、スライダ２４ｂがスライドガイド２５ａに沿って矢印Ｐ方向に移動して、ガイドローラ２３を、例えば図１の実線図示位置Ａから鎖線図示位置Ｂまで移動させる。
【００１６】
ここで、ガイドローラ２３の移動により、ダンパ機構２０のダンパ強度は以下のようにして変更される。
図５において、ガイドローラ２３が位置Ａに在る場合、ロープ２２の繰り出し長さＬ１は比較的短い。したがって、グラブドア１２が開いて、ロープ連結部１２ａが閉鎖位置から開放位置へ矢印Ｑで示すように移動するとき、ロープの張力は比較的小さく、ダンパ強度は比較的弱く設定される。
これに対して、ガイドローラ２３が位置Ｂに移動されると、ロープ２２の繰り出し長さＬ２は比較的長くなる。したがって、グラブドア１２が開いて、ロープ連結部１２ａが閉鎖位置から開放位置へ矢印Ｑで示すように移動するとき、ロープの張力は比較的大きく、ダンパ強度は比較的強く設定される。
【００１７】
この場合、ダンパ強度の設定は、インナボックス１１内に露出している操作部２５の回転操作ダイヤルとしての歯車２５ｂを回転させることにより、容易に行なわれる。したがって、従来のように、収納物の重さに応じて回転式ダンパ２１を異なるダンパ強度のものに交換する必要がなく、また収納物の重さに応じて、ダンパ強度を段階的ではなく連続的に微調整することができる。
【００１８】
このようにして、この発明の実施形態によるグラブドア用ダンパ機構２０によれば、操作部２５の歯車２５ｂの回転操作のみの簡単な操作によって、ガイドローラ２３を矢印Ｐ方向に移動調整して、回転式ダンパ２１からのロープ繰り出し長さを調整することにより、簡単な構成でダンパ強度を容易に調整することができる。
したがって、グラブボックス１０の収納物の重量に応じて、操作部２５の歯車２５ｂを回転させて、上述のようにダンパ強度を調整することによって、収納物の重量にかかわらずグラブドア１２の開スピードを適宜に調整することができるので、収納物の重量が重い場合にグラブドアが助手席の乗員の膝に当たったり、収納物の重量が軽い場合にグラブドアが自重によって開かなくなったりすることを防止することができる。
【００１９】
【発明の効果】
以上述べたように、この発明によれば、インナボックス内から調整機構を操作して、ロープを張架するガイドローラをロープと交差する方向に移動調整することによって、グラブドアの閉鎖時の回転式ダンパからのロープ繰り出し長さを調整することができ、これにより、グラブドアの閉鎖時のロープ張力を調整して、グラブボックス内の収納重量に対応してダンパ強度を適宜に連続的に調整することができる。
このように、簡単な構成によりインナボックス内から容易にグラブボックスの収納物の重量に対応したダンパ強度を設定することができるので、収納物の重量にかかわらず、常に品質感ある開スピードを得ることができると共に、グラブドアを開く際に、助手席の乗員の膝に当たるようなことはなく、またグラブボックス内が空状態であっても、確実にグラブドアが開く。
したがって、この発明によれば、簡単な操作により、ダンパ強度を適宜に調整することができるようにした、極めて優れたグラブボックスのグラブドア用ダンパ機構が提供される。
【図面の簡単な説明】
【図１】この発明によるグラブドア用ダンパ機構の一実施形態を備えたグラブボックスの構成を示す概略断面図である。
【図２】図１のグラブボックスにおけるグラブドアを示す概略斜視図である。
【図３】図１のグラブボックスにおけるグラブドア用ダンパ機構の調整機構及び操作部の構成を示す分解斜視図である。
【図４】図３の操作部を示す断面図である。
【図５】図１のグラブドア用ダンパ機構の作用を示す概略図である。
【図６】従来のグラブボックスにかかるインストルメントパネル周りの構成例を示す斜視図である。
【図７】従来のグラブボックスの構成例を示す断面図である。
【符号の説明】
１０    グラブボックス
１１    インナボックス
１２    グラブドア
１２ａ  ロープ連結部
１３    回転軸
２０    ダンパ機構
２１    回転式ダンパ
２２    ロープ
２３    ガイドローラ
２４    調整機構
２４ａ  スライドガイド
２４ｂ  スライダ
２４ｃ  送りネジ
２５    操作部
２５ａ  歯車（雌ネジ部）
２５ｂ  歯車（回転操作ダイヤル）
【図１】
0003780494.tif 000002
【図２】
0003780494.tif 000003
【図３】
0003780494.tif 000004
【図４】
0003780494.tif 000005
【図５】
0003780494.tif 000006
【図６】
0003780494.tif 000007
【図７】
0003780494.tif 000008